(57)【特許請求の範囲】
【請求項１】
固定子鉄心の内周に設けられた複数の歯部に固定子巻線を巻装して成る固定子と、
この固定子の内周側に配置されて、外周に複数の爪状磁極を有する界磁鉄心の巻線巻装部に界磁巻線が巻装されるとともに、回転方向に対向する前記爪状磁極同士の間に漏洩磁束を低減する永久磁石が配設された回転子と
を備えた車両用交流発電機において、
前記界磁鉄心は、前記巻線巻装部における極数当たりの磁路断面積が、各々の前記爪状磁極の前記歯部と対向する外周表面積の７０％以上１２０％以下の範囲に設けられていることを特徴とする車両用交流発電機。
【請求項２】
前記界磁鉄心は、前記巻線巻装部における極数当たりの磁路断面積が、各々の前記爪状磁極の前記歯部と対向する外周表面積の１００％に設定されていることを特徴とする請求項１記載の車両用交流発電機。
【請求項３】
前記永久磁石は、フェライト焼結製の磁石であることを特徴とする請求項１または２記載の車両用交流発電機。
【請求項４】
前記永久磁石は、樹脂接着製の磁石であることを特徴とする請求項１または２記載の車両用交流発電機。
【請求項５】
前記界磁鉄心は、前記歯部と対向する前記爪状磁極の外周面形状が略台形状であることを特徴とする請求項１〜４記載の何れかの車両用交流発電機。
【発明の詳細な説明】
【０００１】
【発明の属する技術分野】
本発明は、機関の回転により駆動されて交流電力を供給する車両用交流発電機に関する。
【０００２】
【従来の技術】
従来より、ランデル型鉄心に界磁巻線を巻装して界磁回転子を構成した車両用交流発電機がある。この発電機では、ランデル型鉄心の巻線巻装部で発生した主磁束の一部が、爪状磁極の外周表面から固定子鉄心側へ流れることなく、回転方向に隣合う爪状磁極同士間に漏洩する。このため、回転子の磁路を通過する磁束量は、爪状磁極の外周表面を通過する磁束量より巻線巻装部を通過する磁束量の方が大きくなっている。通常、通過磁束量に略比例した磁路断面積をとるために、巻線巻装部の断面積と爪状磁極の外周表面積との割合を１４０％近傍とすることにより回転子の軽量化を図り、回転子における重量当たりの出力を極大化している。
【０００３】
更に高出力化を図るため、爪状磁極間に永久磁石を介在させて漏洩磁束を低減する回転子も考案されている。特に、磁石磁束が固定子に加算磁束として働き、且つ界磁電流が零の時にも永久磁石磁束による過電圧の発生を防止するため、爪状磁極の磁石当接面積と爪状磁極の付け根基部面積との比率を最適化する考案も成されている（特開平４−２５５４５１号公報参照）。
【０００４】
【発明が解決しようとする課題】
ところが、巻線巻装部の断面積と爪状磁極の外周表面積との比率を爪状磁極間に永久磁石を介在させた回転子に適用した場合、永久磁石磁束の磁路各部への加減算が考慮されていないため、各部磁路断面積が通過磁束量に対して過不足することにより、回転子の軽量化が図れず、回転子における重量当たりの出力を極大化できないという問題が生じる。
一方、爪状磁極間に永久磁石を介在させた回転子においても、対象とする磁路断面は爪状磁極の永久磁石当接面と爪状磁極の付け根基部面であり、爪状磁極の重量が固定子全体に占める割合が小さいため、当該面積比率の最適化のみでは回転子の軽量化は十分でない。
本発明は、上記事情に基づいて成されたもので、その目的は、爪状磁極間に永久磁石を配設した回転子を有し、その回転子の重量当たりの出力を向上させるとともに、所定出力を得るために回転子の素材使用量が少なくてすむ（即ち経済性に優れる）車両用交流発電機を提供することにある。
【０００５】
【課題を解決するための手段】
請求項１の発明によれば、界磁鉄心の巻線巻装部における極数当たりの磁路断面積が、各々の爪状磁極の歯部と対向する外周表面積の７０％以上１２０％以下の範囲に設けられているため、各々の磁路断面における磁束密度が相等しくなり、界磁鉄心の各々の磁路断面の過不足がなくなる。即ち、実験結果によれば、前記の面積比率が１２０％を越えると回転子重量当たりの出力の向上効果が急激に低下し、７０％より小さくなると無励磁電流時の過電圧が急激に増大することが明らかである。従って、従来技術に対して有効磁束量は略同等に確保されたまま回転子の重量が低減されるか、或いは回転子の重量は略同等に確保されたまま有効磁束が増加されるため、回転子の重量当たりの出力を増大させることが可能となる。
【０００６】
請求項２の発明によれば、巻線巻装部における極数当たりの磁路断面積が、各々の爪状磁極の歯部と対向する外周表面積の１００％に設定されることにより、出力向上の効果が極大となる。
請求項３の発明によれば、汎用性に優れたフェライト系磁石のうち焼結磁石を使用することにより、樹脂接着製の永久磁石と比較して、より高出力化を経済的に達成できる。
【０００７】
請求項４の発明によれば、樹脂接着製の磁石を使用することにより、焼結性磁石と比較して比重が小さいため対遠心性に優れる。また、各爪状磁極間に介在される複数の磁石を環状に結合して一体化できるため、組付け性が良いと言える。
【０００８】
請求項５の発明によれば、固定子鉄心の歯部と対向する爪状磁極の外周面形状を略台形状としたことにより、爪状磁極の先端より根元の方を太くできるため、各爪状磁極に加わる永久磁石の遠心力荷重に対する回転強度を向上できる。
【０００９】
【発明の実施の形態】
次に、本発明の車両用交流発電機を図面に基づいて説明する。
図１は車両用交流発電機の断面図である。
本実施例の車両用交流発電機１（以下、本発電機１と言う）は、外殻を成すフロントフレーム２とリヤフレーム３、このリヤフレーム３の外側を覆うエンドカバー４、フロントフレーム２とリヤフレーム３に内包される回転子と固定子（共に後述する）等から構成されている。
【００１０】
フロントフレーム２とリヤフレーム３は、各々アルミダイカスト製で、互いの外周端面を向かい合わせて組み合わされ、複数のスタッドボルト５とナット６の締結により軸方向に固定されている。
エンドカバー４は、リヤフレーム３の外側に組付けられるブラシＡＳＳＹ（下述する）、電圧調整器（図示しない）、および整流装置７等の部品を覆ってリヤフレーム３に組付けられている。
【００１１】
回転子は、プーリ８を介してエンジンの回転動力が伝達される回転軸９、この回転軸９の外周に圧入固定された一組のランデル型磁極１０、このランデル型磁極１０に巻装された界磁巻線１１、およびランデル型磁極１０に組付けられた複数の永久磁石１２等から構成されている。
回転軸９は、フロントフレーム２とリヤフレーム３の各ボス部２ａ、３ａに固定されたボールベアリング１３、１４を介して回転自在に支持されている。プーリ８は、フロントフレーム２の外側で回転軸９の一方の先端外周に嵌め合わされて、ロックナット１５によって回転軸９に締め付け固定されている。
【００１２】
一組のランデル型磁極１０（本発明の界磁鉄心）は、それぞれ円筒状のボス部１０ａ（本発明の巻線巻装部）、このボス部１０ａの外周に形成された複数の爪状磁極１０ｂ、およびボス部１０ａと各爪状磁極１０ｂとを繋ぐディスク部１０ｃを有し、互いの爪状磁極１０ｂが界磁巻線１１の外周で噛み合わされる様に、互いのボス部１０ａが軸方向の両側から界磁巻線１１の内周に圧入されている。なお、爪状磁極１０ｂの外周面形状は、先端へ向かって細くなる台形状に設けられている（図６参照）。
各ランデル型磁極１０の軸方向の端面には、それぞれ冷却ファン１６が溶接等により固定されており、各ランデル型磁極１０と一体に回転することで冷却風を発生する。
【００１３】
界磁巻線１１は、リード線１１ａ、１１ｂを通じて回転軸９の外周に設けられた２個のスリップリング１７と電気的に接続されて、各スリップリング１７の外周面に摺接する２個のブラシ１８を通じてバッテリ（図示しない）から励磁電流が供給される。この界磁巻線１１に励磁電流が流れると、一方のランデル型磁極１０Ａの各爪状磁極１０ｂが全てＳ極に磁化されて、他方のランデル型磁極１０Ｂの各爪状磁極１０ｂが全てＮ極に磁化される。
ブラシＡＳＳＹは、前記のブラシ１８、このブラシ１８をスリップリング１７の外周面に対して付勢するスプリング１９、ブラシ１８とスプリング１９を保持するブラシホルダ２０、およびブラシホルダ２０とともにスリップリング１７の外周を覆うスリップリングカバー２１等より構成されている。
【００１４】
固定子は、フロントフレーム２の内周面に圧入固定された固定子鉄心２２と、この固定子鉄心２２に巻装された固定子巻線２３とで構成される。
固定子鉄心２２は、例えば薄い鋼板を複数枚重ね合わせて円環状に形成したもので、内周に複数の歯部２２ａ（図５および図６参照）が設けられて、これらの歯部２２ａが各爪状磁極１０ｂの外周に対向して配置されている。
固定子巻線２３は、例えば３個の独立したコイルをＹ結線またはΔ結線して固定子鉄心２２の歯部２２ａに巻装され（図５および図６参照）、回転子との相対回転運動によって各コイルに交流電圧が発生する。
永久磁石１２は、フェライト焼結磁石を使用し、回転方向に隣合う各爪状磁極１０ｂの対向する側面１０ｄ間に介在されて接着剤等により固定され、対面する爪状磁極１０ｂと同極となる様に着磁されている（図５および図６参照）。
【００１５】
本実施例では、各爪状磁極１０ｂ間に永久磁石１２を配設したことにより、図２に示すように、界磁巻線１１によってボス部１０ａに発生する主磁束Φ1 と永久磁石１２による磁束Φ2 とが逆向きとなるため、ボス部１０ａを通過する磁束Φａ（つまりΦ1 −Φ2 ）は主磁束Φ1 より小さくなる。これにより、永久磁石１２を介在させない場合に比べてボス部１０ａの極数当たりの磁路断面積Ｓａ（図５参照）は小さくてすむ。なお、極数とは、各ランデル型磁極１０に設けられた爪状磁極１０ｂの数に相当する。即ち、各ランデル型磁極１０に６個ずつの爪状磁極１０ｂが設けられている場合、極数は「６」である。
【００１６】
一方、主磁束Φ1 は、永久磁石１２で低減できない漏洩磁束ΦL （図３に示す爪状磁極１０ｂの先端面１０ｅおよび内周面１０ｆとボス部１０ａの外周面１０ｇとの間で漏洩する磁束）を減じた上で、永久磁石１２による磁束Φ3 を加えて爪状磁極１０ｂの外周表面１０ｈから固定子鉄心２２の歯部２２ａに有効磁束Φｄとして到達する。これにより、爪状磁極１０ｂの外周表面１０ｈを通過する磁束、即ち有効磁束Φｄは、永久磁石１２を介在させない場合に比べて大きくなるため、各爪状磁極１０ｂの歯部２２ａと対向する外周表面積Ｓｄ（図６参照）は、永久磁石１２を介在させない場合に比べて大きくする必要がある。
【００１７】
ここで、ボス部１０ａの極数当たりの磁路断面積Ｓａと各爪状磁極１０ｂの歯部２２ａと対向する外周表面積Ｓｄとの断面比率について説明する。
ボス部１０ａの磁路断面積Ｓａを各爪状磁極１０ｂの外周表面積Ｓｄに対して小さくしていくと、図４に示すように、断面比率（Ｓａ／Ｓｄ）が１２０％以下の領域では、回転子の重量当たりの出力向上の効果が著しく大きくなる。これは、爪状磁極１０ｂの先端面１０ｅおよび内周面１０ｆとボス部１０ａの外周面１０ｇとの対向面積が減り、且つ対向距離が増すことにより前記漏洩磁束ΦL が急減するためと考えられる。この出力向上の効果が著しく大きくなる臨界の断面比率は、図４に示すように、フェライト焼結磁石（永久磁石１２）を使用した場合と、フェライト系の樹脂接着製磁石を使用した場合とで共に１２０％である。フェライト焼結磁石（永久磁石１２）を使用した本実施例では、同断面比率が１００％に設定されて出力向上の効果が極大となっており、従来の回転子（同断面比率１４０％で出力が極大となる）と比べて、その向上効果は＋４５％に及ぶ。
【００１８】
一方、バッテリの保全上必要となる無励磁電流時の過電圧発生を抑制するためには、界磁巻線１１による主磁束Φ1 が無い時に永久磁石１２の発生する磁束Φ2 の通過するボス部１０ａの磁路断面積Ｓａにおける磁気飽和度を、永久磁石１２の発生する磁束Φ3 の通過する爪状磁極１０ｂの外周表面積Ｓｄにおける磁気飽和度より低くする面積比率として、前記磁束Φ3 を抑制する必要がある。この磁束Φ3 を抑制するためには、図４に示したように、磁路断面積Ｓａの外周表面積Ｓｄに対する比率（Ｓａ／Ｓｄ）を７０％以上とすることにより可能となる（本実施例では同断面比率が１００％に設定されているため過電圧は発生しない）。これは、過電圧発生が問題となる本発電機１の最高回転数運転時は、爪状磁極１０ｂの外周表面１０ｈにおいて回転後方に磁束が偏り、外周表面１０ｈの７０％程度しか有効な磁束授受面積として働かないためと考えられる。
【００１９】
（本実施例の効果）
本実施例では、ボス部１０ａの極数当たりの磁路断面積Ｓａと固定子鉄心２２の歯部２２ａと対向する各爪状磁極１０ｂの外周表面積Ｓｄとの断面比率（Ｓａ／Ｓｄ）を７０％以上１２０％以下とすることにより、回転子の重量当たりの出力を向上できるとともに、無励磁電流時の過電圧発生を抑制することが可能である。これにより、所定出力を得るために回転子の素材使用量が少なくて済み、経済性に優れた車両用交流発電機１を提供することができる。
【図面の簡単な説明】
【図１】車両用交流発電機の断面図である。
【図２】界磁巻線により発生する磁束と永久磁石により発生する磁束とを示す磁束模式図である。
【図３】永久磁石により低減されない漏洩磁束を示す回転子の断面図である。
【図４】回転子の重量当たりの出力向上の効果および無励磁電流時に固定子へ到達する磁束の変化を示すグラフである。
【図５】ボス部の極数当たりの磁路断面積を示す断面図である。
【図６】固定子鉄心の歯部と対向する爪状磁極の外周表面積を示す断面図である。
【符号の説明】
１    車両用交流発電機
１０    ランデル型磁極（界磁鉄心）
１０ａ  ボス部（巻線巻装部）
１０ｂ  爪状磁極
１１    界磁巻線
１２    永久磁石
２２    固定子鉄心
２２ａ  歯部
２３    固定子巻線
【図１】
0003709590.tif 000002
【図２】
0003709590.tif 000003
【図３】
0003709590.tif 000004
【図４】
0003709590.tif 000005
【図５】
0003709590.tif 000006
【図６】
0003709590.tif 000007